(57)【要約】【課題】独りで背中の凹みなどに容易に薬を塗れる器具１を提供する。【解決手段】柄３の方向に対して略直角に取り付けられて回転するローラ５の先端に、薬を塗布される略球面部分７を形成する。そして、背中の凹みに対して、ローラを斜めにして先端の略球面部分を押し当てて、回転を行えば、容易に薬を塗れる。また、ローラには、薬を塗布しやすくするための布２７を取り付け、この布を抑える輪ゴム２９が嵌まるための溝２５を形成する。また別に、この布として、コットン綿を用い、全体が筒状で先端部が略球面を有し、基部に取付用のゴム部分を有する構成にもできる。【選択図】図１
2004209047.tif 000002
【特許請求の範囲】
【請求項１】
柄と、この柄の方向に対して略直角に取り付けられて回転するローラと、このローラの先端に形成され薬を塗布される略球面部分と、を有することを特徴とする薬塗り器具。
【請求項２】
前記柄は、先端が略Ｌ字状に屈曲し、この屈曲した部分が前記ローラの回転軸になり、後端が取っ手になり、
この取っ手の延長線上に前記ローラの先端側半分が位置することを特徴とする請求項１に記載の薬塗り器具。
【請求項３】
前記ローラには、薬を塗布しやすくするための布を取り付けるため、この布を抑える輪ゴムが嵌まるための溝を形成したことを特徴とする請求項１に記載の薬塗り器具。
【請求項４】
前記ローラに被せられて取り付けられ、薬を塗布しやすくするための布であるコットン綿からなり、全体が筒状で先端部が略球面を有し、基部に取付用のゴム部分を有することを特徴とする使い捨綿キャップ。
【請求項５】
前記ローラに被せられて取り付けられ、背中を掻くのに用いられる摩擦材キャップ。
【発明の詳細な説明】
【０００１】
【発明の属する技術分野】
この発明は、独りで背中などに薬を塗れる薬塗り器具、この器具に使用され薬を塗布する使い捨て綿キャップ、及び背中を掻くための摩擦材キャップの構造に関する。
【０００２】
【従来の技術】
慢性の皮膚疾患や冬季における乾燥肌の手入れなどのために、独りで背中などに薬を塗れる器具が在ると便利である。このような器具は既に、特開２００２−０５８７４９公報に開示される。
この公報の器具は、長い柄に対して、先端において回転するローラを略直角に取り付け、このローラに薬をつけて使用するものである。
【０００３】
【発明が解決しようとする課題】
しかしながら、この従来技術は、円筒状のローラの周面部に薬を付けるものであり、使いづらい。すなわち、たとえば背中の凹みに薬を塗ろうとする場合には、ローラの長さが背中の凹みよりも小さくなくては、ローラ周面部の薬は塗ることができず、ローラの長さを非常に小さくする必要がある。しかも、それでも凹みの角には、塗りにくい。
この発明は、以上の課題を解決するためになされたもので、独りで背中の凹みなどに容易に薬を塗れる器具を提供することを目的とする。
【０００４】
【課題を解決するための手段】
以上の課題を解決するために、第一の発明は、柄と、この柄の方向に対して略直角に取り付けられて回転するローラと、このローラの先端に形成され薬を塗布される略球面部分と、を有することを特徴とする薬塗り器具である。
第二の発明は、前記柄は、先端が略Ｌ字状に屈曲し、この屈曲した部分が前記ローラの回転軸になり、後端が取っ手になり、この取っ手の延長線上に前記ローラの先端側半分が位置することを特徴とする薬塗り器具である。
第三の発明は、前記ローラには、薬を塗布しやすくするための布を取り付けるため、この布を抑える輪ゴムが嵌まるための溝を形成したことを特徴とする薬塗り器具である。
第四の発明は、前記ローラに被せられて取り付けられ、薬を塗布しやすくするための布であるコットン綿からなり、全体が筒状で先端部が略球面を有し、基部に取付用のゴム部分を有することを特徴とする使い捨綿キャップである。
第五の発明は、前記ローラに被せられて取り付けられ、背中を掻くのに用いられる摩擦材キャップである。
【０００５】
【発明の実施の形態】
この発明の実施の形態を、図１及び図２に示す。
図１（Ａ）に示す全体図のように、器具１は、柄３の方向（図中の上下方向）に対して略直角に取り付けられて回転するローラ５の先端に、薬を塗布される略球面部分７を形成する。
このうち、柄３は、長い金属の棒でできており、先端が（図中左方向へ）略Ｌ字状に屈曲し、この屈曲した部分が前記ローラの回転軸９になっている。柄３の後端（図中の下端）が取っ手１１になっている。この取っ手１１のまっすぐな延長線１３上に、ローラ５の先端側半分が位置する。
【０００６】
同図（Ａ）（Ｂ）に示すように、ローラ５は、略円筒状で先端が略球面部分７としての半球状となっている。ローラの内部は、中空になっており、この内部を仕切る二つの仕切壁１５，１７を有し、各仕切壁１５，１７には回転軸９を受ける軸受１９，２１が設けられる。回転軸９の先端には、抜け止２３が設けられる。
【０００７】
また、ローラ５の外周面には、軸方向の後端部側に、溝２５が円周方向に形成される。この溝２５は、薬を塗布しやすくするための布２７を取り付けるため、この布２７を抑える輪ゴム２９が嵌まり、布２７や輪ゴム２９がずれないようにするためのものである。
このローラ５の先端に被せられて取り付けられる布２７は、この実施形態では、肌に優しい平面状のコットン綿からなる。
【０００８】
（実施形態の作用効果）
自分独りで背中などに薬を塗るには、まず、コットン綿（２７）をローラ５の先端の略球面部分７に被せ、輪ゴム２９で取り付ける。輪ゴム２９は溝２５に嵌める。次に、コットン綿（２７）に薬（ローションなども含む）を塗布する。その後、取っ手１１を持って、自分のシャツの下からローラ５を差し込み、背中の凹みなどの必要な部分に、ローラ５の略球面部分７が接触するようにする。そして、取っ手１を柄の方向に往復して動かすと、ローラー５が往復回転し、薬が塗れる。背中の凹みであっても、容易に塗ることが出来る。
【０００９】
（他の実施形態）
以上の実施形態では、平面状のコットン綿（２７）を用いたが、他の実施形態では、コットン綿（２７）をあらかじめ所定の形状のなどに加工しておくことが出来る。たとえば、図２（Ａ）に示すように、全体が筒状の綿キャップ３１で、先端部３３が略球面を有し、基部に取付用のゴム部分３５を縫い付けて有するものとする。このような綿キャップ３１を多数用意し、使い捨とすることが出来る。そうすれば、コットン綿（２７）に、しわが寄りにくく薬が塗布しやすく、使用のたびにコットン綿（２７）を必要な面積に切るなどの必要もない。
【００１０】
また、このようなあらかじめ加工したコットン綿と同じように、ローラ５に被せられて取り付けられ、背中を掻くのに用いられる摩擦材キャップ３７を用意しておけば、同じ器具１で、背中などの痒いところを掻いた上で薬を塗ることが出来る。この摩擦材キャップ３７は、ヘアブラシのような凹凸３９や毛が付いたものが使用できる。
【００１１】
また、以上の実施形態では、このローラ５の先端の略球面部分７を半球面としたが、他の実施形態では、楕円球面などの他の略球面部分であってもよい。
また、以上の実施形態では、柄３の先端が略Ｌ字状に屈曲して回転軸９になったが、他の実施形態では、柄３に対し別体の回転軸を改めて取り付けてもよい。
【００１２】
また、以上の実施形態では、薬を塗布しやすくするための布２７を設けたが、他の実施形態では、布２７を設けずに、略球面部分７に直接に薬を塗布してもよい。
また、以上の実施形態では、布２７がずれないように輪ゴム２９が嵌まるための溝２５を形成したが、他の実施形態ではでは、溝２５ではなく、ローラの周面に摩擦によるずれ防止の凹凸を形成してもよい。
【００１３】
また、以上の実施形態では、柄３は長く、ローラ５が小さめのものを説明したが、他の実施形態では、図３に示すように、柄３が短く、ローラ５を大きめにしたものも実施できる。これにより、ローラ５に力を加えやすく、背中の広い部分に一度に薬を塗りやすくできるので、シャツを脱いで裸で薬を塗るときに便利である。
【００１４】
【発明の効果】
以上説明したように、第一、第二、または第三の発明によれば、ローラの先端の略球面部分に薬を塗布し、たとえば背中の凹みに対して、ローラを斜めにして先端の略球面部分を押し当てて、回転を行えば、ローラの長さや大きさを小さくしなくても、容易に薬を塗れる。
【００１５】
また、第二の発明によれば、さらに、取っ手に加えた力がローラの先端側半分に加わりやすく、薬が塗りやすい。
また、第三の発明によれば、さらに、薬を塗布した布がずれずに済む。
【００１６】
また、第四の発明によれば、さらに、皮膚に優しいコットン綿を、簡単にローラに取りつけられ、使用後は使い捨てができ、便利である。
また、第五の発明によれば、さらに、薬を塗る際に痒い背中を容易に掻くことが出来る。
【図面の簡単な説明】
【図１】この発明の一実施形態に係る器具を示すのもで
（Ａ）は布を取り付ける前の全体の分解図
（Ｂ）はローラ部分の断面図
（Ｃ）はローラ部分の使用状態を示す拡大図である。
【図２】この発明の他の実施形態を示すのもで
（Ａ）は図１の布の部分をあらかじめ加工した状態を示す斜視図
（Ｂ）は背中を掻くのに用いられる摩擦材キャップをローラに取り付けた状態を示す一部断面図である。
【図３】この発明の他の実施形態に係る器具を示すのもで、布を取り付ける前の全体図である。
【符号の説明】
１  器具
３  柄
５  ローラ
７  略球面部分
９  回転軸
１１  取っ手
１３  延長線
１５，１７  仕切壁
１９，２１  軸受
２３  抜け止
２５  溝
２７  布（コットン綿）
２９  輪ゴム
３１  綿キャップ
３３  先端部
３５  ゴム部分
３７  摩擦材キャップ
３９  凹凸
【図１】
2004209047.tif 000003
【図２】
2004209047.tif 000004
【図３】
2004209047.tif 000005